(57)【要約】      （修正有）【課題】安全性能が更に高くなる暗証番号付き南京錠を提供する。【解決手段】錠本体２、鈎部１、錠本体内に設けられている"Ｅ"字形中間子４、回転芯５、回転芯ばね６、鈎部ばね７、ロック部、ロック部ばね、平らな中間子、錠本体に設けられている回転可能の文字ダイヤル８、及び鈎部の錠本体に延伸する閉鎖箇所に設けられている銅栓３を含み、鈎部の銅栓に対応する箇所には少なくとも１つの閉鎖凸部１１が設置され、鈎部がロッキング状態になった時、閉鎖凸部が銅孔の下方に位置し、この時、他人が細い鉄線を利用して銅孔から挿入される場合、閉鎖凸部または回転防止凸部１２により阻止されることにより、細い鉄線が錠本体内の回転芯の回転芯空間内に入ることができないため、他人が細い鉄線で回転芯を固定する方法により暗証番号を試し出すことができなくなり、暗証番号付き南京錠の安全性を高くし、その盗難防止作用を増強する。【選択図】図１
0003194662.tif 000002
【実用新案登録請求の範囲】
【請求項１】
鈎部（1）、錠本体（2）、錠本体（2）内に設けられている"E"字形中間子（4）、回転芯（5）、回転芯ばね（6）、鈎部ばね（7）、ロック部、ロック部ばね、錠本体（2）上に設けられている回転可能の文字ダイヤル（8）、及び鈎部（1）の錠本体（2）に延伸する閉鎖箇所に設けられている銅栓（3）を含む安全性能が更に高くなる暗証番号付き南京錠において、前記鈎部（1）の銅栓（3）に対応する箇所には少なくとも１つの閉鎖凸部（11）が設けられ、前記鈎部（1）がロッキングされた状態で、前記閉鎖凸部（11）は銅孔（30）の下方に位置することを特徴とする安全性能が更に高くなる暗証番号付き南京錠。
【請求項２】
前記閉鎖凸部（11）は2つで、該２つの閉鎖凸部（11）は同一水平面かつ対称する箇所に位置することを特徴とする請求項１に記載の安全性能が更に高くなる暗証番号付き南京錠。
【請求項３】
前記銅栓（3）の底部には縁折り部（31）が設けられ、前記錠本体（2）の貫通溝内の対応位置には断面が三角形の環溝（21）が設けられ、前記銅栓（3）が錠本体（2）の貫通溝に挿入された後、プレス機により下へ向かってスタンピングされて、縁折り部（31）が外側へ折られて環溝（21）内に係止して固定されることを特徴とする請求項１に記載の安全性能が更に高くなる暗証番号付き南京錠。
【請求項４】
前記鈎部（1）上には２つ以上の回転防止凸部（12）が設けられ、前記回転防止凸部（12）は前記閉鎖凸部（11）の１つと同一に直線の箇所に位置し、前記回転芯（5）内には回転防止凸部（12）に係合する２つ以上の回転溝（52）が周方向に設けられていることを特徴とする請求項１に記載の安全性能が更に高くなる暗証番号付き南京錠。
【請求項５】
前記回転芯（5）の数は南京錠の鈎部上の回転防止凸部（12）の数と対応することを特徴とする請求項４に記載の安全性能が更に高くなる暗証番号付き南京錠。
【請求項６】
前記回転芯（5）の外壁上には回転防止凸部（51）が設けられていることを特徴とする請求項１に記載の安全性能が更に高くなる暗証番号付き南京錠。
【考案の詳細な説明】
【技術分野】
【０００１】
本考案は鎖具に関し、特に安全性能が更に高くなる暗証番号付き南京錠に関する。
【背景技術】
【０００２】
暗証番号付き南京錠は、多くの鍵を携帯しなければならない問題を解決し、南京錠の暗証番号を記憶することで、鍵の携帯を必要とする面倒を解決することができる。しかし、科学技術による発展と人類の知恵が高くなることにより、一部の人、特に泥棒は、暗証番号付き南京錠の欠陥を利用して、暗証番号付き南京錠を破壊しない状態で、順々に錠中の文字ダイヤルを回転しながら、暗証番号を試し出している。文字ダイヤルが正確な暗証番号に回転された場合、回転芯の凸部がケーシングの貫通溝内に系止されることで、錠が緩くなって、順々に文字ダイヤルを回転させることで、全ての正確な暗証番号を生み出して、南京錠を開くため、暗証番号付き南京錠が盗難と安全作用を果たすことができない。例えば、現在の一部の暗証番号付き鎖具は回転防止式暗証番号付き性能を有するが、泥棒は依然として鈎部と錠本体の間の間隙を利用する。即ち、細い鉄線を隙間内に挿入し、かつ中間子を開いて文字ダイヤルを回転させることで、細い鉄線が更に回転芯の回転芯孔内に挿入されて、他の文字ダイヤルを持続に回転させることにより、細い鉄線の全てが回転芯孔内に挿入される。このような方法を用いて全ての回転芯を固定した後、南京錠の背面に示された暗証番号が錠を開くための正確な暗証番号であることになり、暗証番号付き南京錠の盗難と安全作用を防止することができない。
【考案の概要】
【考案が解決しようとする課題】
【０００３】
本考案の目的は、上記の技術に存在する問題点に対して、回転式暗証番号による手段を防止し、また細い鉄線で暗証番号を試し出すことを防止する安全性能が更に高くなる暗証番号付き南京錠を提供する。
【課題を解決するための手段】
【０００４】
前記目的を達成するため、本考案の採用する技術手段は、安全性能が更に高くなる暗証番号付き南京錠を提供する。該暗証番号付き南京錠は、鈎部、錠本体、錠本体内に設けられている"E"字形中間子、回転芯、回転芯ばね、鈎部ばね、ロック部、ロックばね、錠本体に設けられた回転可能の文字ダイヤル、鈎部の錠本体に延伸される閉鎖箇所に設けられている銅栓を含む。鈎部の銅栓に対応する箇所には少なくとも１つの閉鎖凸部が設けられ、前記鈎部が鎖錠状態になった時、前記閉鎖凸部は銅孔の下方に位置する。
【０００５】
前記閉鎖凸部は2つで、２つの該閉鎖凸部は同一平面、かつ相互に対称する箇所に位置し、２つの閉鎖凸部はちょうど銅栓の２つ銅孔の下方に位置する。
【０００６】
銅栓を取り付ける時の銅孔の位置偏差を防ぐため、前記銅栓の底部には縁折り部が設けられている。前記錠本体の貫通溝内の対応箇所には断面が三角形になる環溝が設けられており、前記銅栓は錠本体の貫通溝に装入された後、プレス機により下へ向かってスタンピングされて、縁折り部が外部にひっくり返されて環溝内に係止して固定される。
【０００７】
該暗証番号付き南京錠の機密性と安全性を更に保証するため、前記鈎部には２つの以上の回転防止凸部が設けられている。前記回転防止凸部といずれか１つの前記閉鎖凸部は同一の垂直線の箇所に位置し、前記回転芯の内部リングには回転防止凸部に係合する２つ以上の回転防止溝が設けられている。
【０００８】
本考案の暗証番号付き南京錠はロッキングされた時、鈎部の２つ閉鎖凸部はちょうど銅栓の２つの銅孔を遮断し、この時、他人が細い鉄線を銅孔から挿入させる際に、閉鎖凸部により阻止される。これにより、細い鉄線が錠本体内の回転芯の回転芯空間に挿入されないため、他人が細い鉄線で回転芯を固定する方法で暗証番号を試し出すのを防ぐことができる。本考案は構造が簡単で、安全性が高く、南京錠は暗証番号が不正確である場合、鍵部を引張ることで、文字ダイヤルを回転させないと同時に、細い鉄線を錠体内部に挿入して暗証番号を試しだすのを不可能とするため、南京錠の保密性と安全性を更に高くすることができる。
【０００９】
下記では、図面を用いて本考案の実施に対して更に詳細に説明する。
【図面の簡単な説明】
【００１０】
【図１】図1は、本考案の組立て構造を示す図である。
【図２】図2は、本考案の鈎部の立体構造図である。
【図３】図3は、本考案の銅栓の立体構造図である。
【図４】図4は、本考案の回転芯の立体構造図である。
【図５】図5は、本考案の錠がロッキングされた時の構造図である。
【考案を実施するための形態】
【００１１】
図1から5に示されるように、安全性能が更に高くなる暗証番号付き南京錠において、鈎部1、錠本体2、錠本体2内に設けられている"E"字形中間子4、回転芯5、回転芯ばね6、鈎部ばね7、ロック部、ロック部ばね、錠本体2上に設けられている回転可能の文字ダイヤル8、鈎部1の錠本体2に延伸する密閉箇所に設けられている銅栓3を含む。鈎部1の銅栓3に対応する箇所には少なくとも１つの閉鎖凸部11が設けられ、該鈎部1がロッキング状態になった時、閉鎖凸部11は銅孔30の下方に位置し、この時、他人が細い鉄線を利用して銅孔30から差し込む時、閉鎖凸部11により阻止されて、細い鉄線が錠本体2内の回転芯5の回転芯孔内に挿入入されないように保証し、それにより、他人が非常に細い鉄線で回転芯5を固定する方法を用いて暗証番号を試し出すことを防止する。
【００１２】
図2に示されるように、本実施例において、鈎部1上には２つの閉鎖凸部11が設けられ、該閉鎖凸部11は同一水平面かつ相互に対称する箇所に位置する。鈎部1には4つの回転防止凸部12が更に設けられ、該4つの回転防止凸部12は１つの閉鎖凸部11と同一直線に位置する。図4に示されるように、本実施例の回転芯5内には回転防止凸部12に係合する９つの回転防止溝52が周方向に設けられている。該回転芯5の数は鈎部1上の回転防止凸部12の数に対応し、回転芯5の外壁には回転芯凸部51が設けられている。本実施例の"E"字形中間子4は2つで、その１つは4つの回転芯5の上方に位置し、他の１つは4つの回転芯5の下方に位置する。
【００１３】
図3に示されるように、通常の暗証番号付き南京錠上の銅栓3と錠本体2は締り嵌めにより取り付けられるため、銅栓3を錠本体2の貫通溝内に打ち込む必要があり、このような固定手段は市場で汎用される方法である。該方法により取り付ける時、銅栓3は銅孔30の方向に偏差を容易に発生させるため、正しく修正することが難しい。これに鑑みて、本考案は銅栓3の固定方法が改善されている。即ち、銅栓3の底部に縁折り部31が設けられ、錠本体2の貫通溝の相応箇所には断面が三角形状の環溝21が設けられている。銅栓3が錠本体2に装入された後、方向を決めて、プレス機により銅栓3を下へ向かってスタンピングする。この時、底部に取付けられた縁折り部31は圧力の作用により、環溝21内に折られることで、錠本体2を係止する。このような方法は銅栓3と錠本体2を堅固に取り付けることができ、該方法により、銅栓3と錠本体2は締り嵌めによる取付けが不要で、銅栓3が錠本体2の貫通溝内への装入が便利で、銅孔30の方向の修正が更に容易になる。
【００１４】
図5に示されるように、使用する時、南京錠をロッキングした後、暗証番号が不正確な場合、回転芯5上の回転芯凸部51と錠本体2の貫通溝がずれている。回転芯5の下方の"E"字形中間子4と最底部の回転芯5は回転芯ばね6の作用によって、所定の間隙を開くことができる。この時、鈎部1上の回転防止凸部12が回転芯5内の回転防止溝52内に係止されないため、回転芯5が左右に回転することができる。そのため、回転芯5の外部の文字ダイヤル8が回動することができて、南京錠の正常の使用に影響を与えない。暗証番号が不正確な場合、鈎部1を引張って、回転芯5の上下運動が不可能になった状態で、鈎部1は回転芯5の下方の"E"字形中間子4を連動し、"E"字形中間子4が最底部の回転芯5と密着して間隙を有しないように回転芯ばね6を圧縮する。この時、鈎部1上の回転防止凸部12が回転芯5内の回転防止溝52内に係止されて、回転芯5を回転させないため、回転芯5の外部の文字ダイヤル8も回転が不可能になって、他人が暗証番号を試し出すことができないため、南京錠の安全性を保証することができる。鈎部ばね7が正常な場合、南京錠の使用に影響を与えず、ロッキングオフされた後、例えば、鈎部1が180度回転され、鈎部ばね7の作用によって、鈎部1が自由に落下せず、ロッキング状態に相当する。この時、文字ダイヤル8が回転されるが、暗証番号が異なる場合、鈎部1の上下移動が不可能になり、ユーザが誤って暗証番号を変更することを防止する。暗証番号の変更を必要とする時、ユーザは必ず鈎部1を180度回転させた後、力を入れて鈎部1を押圧し、かつ鈎部1が上へ上がらないように鈎部１を押すことにより、文字ダイヤル8を回転させて暗証番号を変更することができる。南京錠がロッキングされた後、鈎部1上の閉鎖凸部11が銅孔30を遮断し、他人による細い鉄線の挿入が不可能なっているため、細い鉄線で回転芯5を固定する方法で暗証番号を試し出すことができなくなる。
【００１５】
本考案は具体的実施例を用いて説明したが、上記の記述は本考案の構成に対して制限するものではない。本考案の記述により公開された実施例の他の変化は、当業者がすべて予想できるものであり、このような変化は本実用新案登録請求の範囲内に属するべきである。
【図１】
0003194662.tif 000003
【図２】
0003194662.tif 000004
【図３】
0003194662.tif 000005
【図４】
0003194662.tif 000006
【図５】
0003194662.tif 000007